(57)【特許請求の範囲】
【請求項１】
遊技機に固定された固定部と、
前記固定部に対し回動可能に取り付けられた回動部と
を備え、
前記回動部の回動操作量に応じた発射速度で遊技球を発射する発射手段を備える前記遊技機に設置されて用いられる遊技機用ハンドルにおいて、
前記回動部と前記固定部との隙間にコインを挿入したときに、前記隙間から出ている前記コインに当接する突起部を備え、
前記突起部は、
前記隙間の開口部からの距離が、前記隙間から出ている前記コインの重心までの距離よりも近い位置に設けられ、
かつ、
前記隙間に挿入されている前記コインの端部側を支点に前記コインを持上げ可能な高さに形成されていることを特徴とする遊技機用ハンドル。
【請求項２】
請求項１に記載の遊技機用ハンドルにおいて、
前記突起部は、前記固定部に設けられていることを特徴とする遊技機用ハンドル。
【請求項３】
請求項１に記載の遊技機用ハンドルにおいて、
前記突起部は、前記回動部に設けられていることを特徴とする遊技機用ハンドル。
【請求項４】
請求項１〜３のいずれかに記載の遊技機用ハンドルにおいて、
前記突起部の少なくとも一部は、
複数の突起を、前記コインの直径よりも狭い間隔毎に、前記回動部の軸周りに沿って並べて設置したものであることを特徴とする遊技機用ハンドル。
【発明の詳細な説明】
【技術分野】
【０００１】
本発明は、遊技球を発射する発射速度を調整する遊技機用ハンドルに関する。
【背景技術】
【０００２】
従来の遊技機用ハンドルは、図７に示すように、ハンドル本体に回動リングが回動可能に装着されており、これらハンドル本体と回動リングとの間にコインを挟むと、回動リングがハンドル本体に対して固定することが出来る構造となっている（特許文献１）。
【特許文献１】特開２００１−１７０２６７号公報
【発明の開示】
【発明が解決しようとする課題】
【０００３】
しかし、特定の遊技客が、本来固定できない回動リングを固定して遊技してしまうと、回動リングを固定せず正常に遊技している遊技客との間に不公平が生じる。
そのため、回動リングを固定する行為は禁止しなければならないが、限られた従業員だけでは監視が十分行き届かず、結果として、回動リングの固定する行為を防止することは難しいという実状がある。
【０００４】
そこで本発明では、上述した問題点を解決するため、回動部を固定する行為を防止することができる遊技機用ハンドルを提供することを目的とする。
【課題を解決するための手段】
【０００５】
上記目的を達成するためになされた請求項１に記載の発明は、遊技機に固定された固定部と、前記固定部に対し回動可能に取り付けられた回動部とを備え、前記回動部の回動操作量に応じた発射速度で遊技球を発射する発射手段を備える前記遊技機に設置されて用いられる遊技機用ハンドルにおいて、前記回動部と前記固定部との隙間にコインを挿入したときに、前記隙間から出ている前記コインに当接する突起部を備え、この突起部は、前記隙間の開口部からの距離が、前記隙間から出ている前記コインの重心までの距離よりも近い位置に設けられ、かつ、前記隙間に挿入されている前記コインの端部側を支点に前記コインを持上げ可能な高さに形成されていることを特徴とするものである。
【０００６】
この請求項１に記載の遊技機用ハンドルのハンドル本体等の固定部と回動部との隙間にコインを挟むと、隙間から出ている部分のコインは、隙間に挿入されたコインの端部側を支点に突起部によって持上げられる。
【０００７】
しかも、この突起部は、隙間の開口部からの距離が、隙間から出ているコインの重心までの距離よりも近い位置に設けられているので、コインを隙間に挟むと、突起部から見てコインを隙間に挿入した側とは反対側にコインの重心が位置することとなる。
【０００８】
そのため、隙間にコインを挿入して回動部を固定しようとしても、コインは不安定な状態で隙間に挿入されることとなるので、すぐに隙間から外れてしまい、回動部はただちに回動可能な状態となってしまう。
【０００９】
従って、本発明の遊技機用ハンドルを用いると、コインを用いて回動部を固定しようとしても固定できないので、回動部を固定する行為を確実に防止することができる。
尚、突起部は、例えば、請求項２に記載したように、固定部に設けてもよいし、請求項３に記載したように、回動部に設けてもよい。
【００１０】
また、突起部は、一続きのものであってもよいし、所定間隔毎に突起を設置したものでもよい。
また、突起部を、所定間隔毎に突起を設置したものとした場合、請求項４に記載したように、突起部の少なくとも一部は、複数の突起を、コインの直径よりも狭い間隔毎に、回動部の軸周りに沿って並べて設置してもよい。
【図面の簡単な説明】
【００１１】
【図１】パチンコ機を正面から見た正面模式図である。
【図２】本実施形態の遊技機用ハンドル１を側面から見た断面図で、遊技機用ハンドル１については、この遊技機用ハンドル１を構成する回動リングの回動軸を通る断面図で示している。
【図３】遊技機用ハンドル１を側面から見た断面図で、遊技機用ハンドル１については、この遊技機用ハンドル１を構成する回動リングの回動軸αを通る断面図で示している。
【図４】遊技機用ハンドル１を側面から見た断面図で、遊技機用ハンドル１については、この遊技機用ハンドル１を構成する回動リングの回動軸αを通る断面図で示している。
【図５】ハンドル本体の回動リング側の側面の正面図である。
【図６】他の実施形態の遊技機用ハンドル１の説明図で、（ａ）遊技機用ハンドル１の正面図、及び、（ｂ）（ａ）のＡ−Ａ’断面で示した側面図である。
【図７】従来の遊技機用ハンドルの側面図である。
【発明を実施するための最良の形態】
【００１２】
以下、本発明が適用された実施形態について図面を用いて説明する。
ここで、図１は、パチンコ機を正面から見た正面模式図である。
図２は、本実施形態の遊技機用ハンドル１を側面から見た断面図で、遊技機用ハンドル１については、この遊技機用ハンドル１を構成する回動リングの回動軸を通る断面図で示している。
【００１３】
（１．全体構成）
パチンコ機９（本発明の遊技機に相当）は、図１に示すように、このパチンコ機９の筐体内に内蔵された打突杵９１及び発射装置９２を備え、また、パチンコ機９の筐体の正面側側面上に立設された遊技機用ハンドル１を備えている。
【００１４】
このうち打突杵９１は、図１中の矢印βのように回動してパチンコ球を打突するものである。
発射装置９２は、遊技機用ハンドル１の操作に従って打突力を調整し、その調整された打突力で打突杵９１を回動させてパチンコ球を打突し、パチンコ機９の遊技域９９にパチンコ球を発射する装置である。
【００１５】
遊技機用ハンドル１は、後述するように人の手によって回動操作可能な回動リング１４（図２参照）を備えている。また、この遊技機用ハンドル１は、この回動リング１４の回動操作量を、発射装置９２に伝達する図示しない伝達装置を備えている。
【００１６】
以上のように構成されたパチンコ機９では、回動リング１４が回動操作され、その回動操作量が発射装置９２に伝達されると、発射装置９２が、その回動操作量に応じた打突力を調整する。そして、発射装置９２は、打突杵９１を用いて、その調整された打突力でパチンコ球を打突する。すると、その打突力に応じた発射速度で、パチンコ球が発射される。
【００１７】
従って、本実施形態のパチンコ機９では、遊技機用ハンドル１を操作すると、回動リング１４の回動操作量に応じた発射速度で遊技球が発射される。
（２．遊技機用ハンドルの概要）
本実施形態の遊技機用ハンドル１は、図２に示すように、支柱部１０と、ハンドル本体１２と、回動リング１４と、キャップ部１６とを備えている。
【００１８】
本実施形態の遊技機用ハンドル１は、パチンコ機９の正面側の側面上に、この側面に対して垂直に立設された円柱状に形成された支柱部１０を介して遊技機に取り付けられる。
ハンドル本体１２は、この支柱部１０の遊端側に固定される。
【００１９】
このハンドル本体１２は、支柱部１０の中心軸の延長線上の軸αであって、この軸αを中心軸とする略円柱状に形成されている。ただし、このハンドル本体１２の支柱部１０側の半分は、パチンコ機９に向かって凸な略半球状に形成されている。
【００２０】
そして、このハンドル本体１２の外周面上であって、断面が略半球状に形成された部分と、半球状に形成されていない部分との境目付近の外周面上には、軸αの軸周りにリング状に形成された突起部１２０が設けられている。
【００２１】
回動リング１４は、軸αに沿った方向で見て、ハンドル本体１２が支柱部１０に固定されている側とは反対側のハンドル本体１２の側面１２１上に回動可能に取り付けられている。
【００２２】
この回動リング１４は、略円板状に形成されており、この円板の中心軸と軸αとが一致するように配置されるとともに、この軸αを回動軸として回動可能にハンドル本体１２に取り付けられている。
【００２３】
また、この回動リング１４は、支柱部１０よりも大径な円板状に形成されるとともに、ハンドル本体１２の側面１２１に対向する回動面１４０の縁部には、この回動面１４０の縁部に沿って設けられ、かつ、軸αに沿ってパチンコ機９側に向かって立設されたフランジ部１４１が形成されている。
【００２４】
このフランジ部１４１は、ハンドル本体１２の軸α周りの外周面のうち、回動リング１４側の一部を覆う長さに形成されている。
そして、本実施形態の遊技機用ハンドル１では、回動リング１４をハンドル本体１２に対して回動可能に配置することで、回動リング１４とハンドル本体１２との間に隙間３が形成される。また、フランジ部１４１と、ハンドル本体１２の外周面１２２との間にも、この隙間３が形成される。
【００２５】
キャップ部１６は、回動リング１４の回動軸に垂直な側面のうち、ハンドル本体１２に対向する側とは反対側の側面に取り付けられる。
（３．突起部１２０について）
次に、突起部１２０について、詳細に説明する。
【００２６】
この突起部１２０は、ハンドル本体１２の外周面上で開口する、ハンドル本体１２の外周面１２２と、回動リング１４のフランジ部１４１との間の隙間３の開口部３０を介して、隙間３にコインを挿入したときに、隙間から出ているコインに当接する位置に形成されている。
【００２７】
より具体的には、この突起部１２０は、隙間３の開口部３０からの距離が、隙間３から出ているコインの重心までの距離よりも近い位置に設けられている。具体的には、突起部１２０は、開口部３０からの距離が、硬貨のうち最も小さい１円球の直径が約２０ｍｍなので、少なくとも１０ｍｍ未満となる位置に設けられている。本実施形態では、コインを無理に隙間３に挿入すると、最大２．５ｍｍ挿入されるので、開口部３０から突起部１２０までの距離は７ｍｍとなるように形成されている。
【００２８】
また、この突起部１２０は、コインを隙間３に挿入すると、この隙間３に挿入されている部分のコインの端部側を支点にコインを持上げ可能な高さに形成されている。
本実施形態では、もし突起部１２０がない場合に、コインを隙間３に挿入すると、ハンドル本体１２の外周面１２２に沿って配置されるので、この外周面１２２から突設した形状に形成されている。
【００２９】
（４．実施形態に係る遊技機用ハンドルの特徴的作動）
本実施形態の遊技機用ハンドル１のハンドル本体１２と回動リング１４との隙間にコインを挟むと、隙間から出ている部分のコインは、隙間に挿入されたコインの端部側を支点に突起部１２０によって持上げられる。
【００３０】
しかも、この突起部１２０は、隙間３の開口部３０からの距離が、隙間から出ているコインの重心までの距離よりも近い位置に設けられているので、コインを隙間３に挟むと、突起部１２０から見てコインを隙間に挿入した側とは反対側にコインの重心が位置することとなる。
【００３１】
そのため、隙間３にコインを挿入して回動リング１４を固定しようとしても、コインは不安定な状態で隙間３に挿入されることとなるので、すぐに隙間３から外れてしまい、回動リング１４はただちに回動可能な状態となってしまう。
【００３２】
（５．実施形態に係る遊技機用ハンドルの特徴）
上述したように、本実施形態の遊技機用ハンドル１を用いると、コインを用いて回動リング１４を固定しようとしても固定できないので、回動リング１４を固定する行為を確実に防止することができる。
【００３３】
この結果、もし回動リング１４が固定されると、発射装置９２により一定の速度で遊技球が発射されてしまうが、本実施形態の遊技機用ハンドル１を用いると回動リング１４が固定されることが防止されるので、一定の速度で遊技球が発射されることを確実に防止することができる。
【００３４】
（６．実施形態と発明特定事項との対応関係）
本実施形態の回動リング１４は、本発明の回動部に相当する。
本実施形態のハンドル本体１２は、本発明の固定部に相当する。
【００３５】
（その他の実施形態）
（その１）
上記実施形態では、回動リング１４とキャップ部１６とが別々に構成された遊技機用ハンドル１について説明したが、図６に示すように、回動リング１４とキャップ部１６とが一体に形成されていてもよい。この一体に形成されたものを、以下では、一体型回動リング１５とよぶ（本発明の回動部に相当する）。
【００３６】
この図６に記載された遊技機用ハンドル１は、上記実施形態の遊技機用ハンドル１における開口部３０に相当する開口部３０ａが、一体型回動リング１５のフランジ部１５１（上記実施形態のフランジ部１４１に相当）と、ハンドル本体１２との間に形成される。
【００３７】
特にこの遊技機用ハンドル１は、この開口部３０ａを形成する、一体型回動リング１５のフランジ部１５１が、一体型回動リング１５の回動軸方向の厚みが薄く形成されているので（具体的には、厚さ４．２ｍｍ）、コインを開口部３０ａに挿入しようとしてもハンドル本体１２上で滑って、コインを挿入できないように構成されている。
（その２）
上記実施形態では、突起部１２０を、隙間３の開口部３０から７ｍｍの位置に設けた例について示した。
【００３８】
この突起部１２０は、開口部３０から、一枚あるいは二枚のコインの厚みに相当する距離よりも離れていればよい。具体的には、一円玉の厚みが約１．５ｍｍなので、図３（ａ）に示すように、開口部から１．５ｍｍ、あるいは、図３（ｂ）に示すように、一円玉の２枚の厚みである３ｍｍよりも離れた位置に突起部１２０を設けるとよい（図３（ａ）では１．９ｍｍ、図３（ｂ）では３．７ｍｍ等（コインの厚さは、１円玉、５円玉の厚みが約１．５ｍｍ、１０円玉、５０円玉、１００円玉の厚みが約１．７ｍｍ、５００円玉の厚みが約１．８ｍｍであるため、これらの複数の異なるコインを組み合わせたとしても、コインの厚みと同じにならない位置に突起部が設けられているが、コイン２枚以上３枚未満でもよい。これは、あまり突起部の距離が遠すぎると突起部の効果が低くなり、突起部の距離が近すぎるとコインと別の物を組み合わせてハンドル固定されることが考えられるからである。））。
【００３９】
このようにすると、突起部１２０とフランジ部１４１の先端との間にコインを差し込んでも、回動リング１４を固定することができない。
（その３）
上記実施形態では、突起部１２０をハンドル本体１２に設けた例について説明したが、図４に示すように、突起部１４２を回動リング１４の外周面１４３上に設けても良い。この場合、フランジ部１４１に相当するフランジ部１２３をハンドル本体１２に設けるとよい。
【００４０】
（その４）
上記実施形態では、突起部１２０として、軸α周りに一続きのリング状のものについて説明したが、例えば図５に示すように、突起１２９を、複数の突起を軸αの周りに所定間隔毎に並べて配置してもよい。
【００４１】
このとき、突起１２９間の間隔は、コインの直径よりも狭い間隔（例えば１８ｍｍ）であることが好ましい。
また、本発明は、特許請求の範囲に記載された発明の趣旨に合致するものであればよく、上述の実施形態に限定されるものではない。
【符号の説明】
【００４２】
１…遊技機用ハンドル、３…隙間、９…パチンコ機、１０…支柱部、１２…ハンドル本体、１４…回動リング、１６…キャップ部、３０…開口部、９１…打突杵、９２…発射装置、９９…遊技域、１２０…突起部、１２１…側面、１２２…外周面、１２３…フランジ部、１２９…突起、１４０…回動面、１４１…フランジ部、１４２…突起部
【図１】
0005445112.tif 000002
【図２】
0005445112.tif 000003
【図３】
0005445112.tif 000004
【図４】
0005445112.tif 000005
【図５】
0005445112.tif 000006
【図６】
0005445112.tif 000007
【図７】
0005445112.tif 000008